(57)【要約】【課題】飲料パックに代表される廃材を使用し、排尿の吸水性と保水性を富有せしめた排泄物処理材を提供する。【解決手段】両面にラミネート層を有する両面耐水紙の廃材を原料とし、上記廃両面耐水紙を細かく粉砕して形成した両面に上記ラミネート層５′，６′を有する粉砕紙片２′を主材とし、上記粉砕紙片２′の集合物にて粒状体７を形成し、上記粒状体７は隣接する各粉砕紙片２′のラミネート層５′，６′間に、排尿１２を粒状体７の芯部へ案内する空隙構造を有し、上記粒状体７は上記排尿１２を各粉砕紙片２′の剪断面９より上記両面ラミネート層５′，６′間の紙層４′内に吸収し、該吸収した排尿１２を上記両面のラミネート層５′，６′で遮水し紙層４′内に保水する保水構造を有する動物用排泄物処理材。【選択図】        図４
2005021136.tif 000002
【特許請求の範囲】
【請求項１】
両面に耐水性フィルムのラミネート層を有する両面耐水紙の廃材を原料とする；
上記廃両面耐水紙を細かく粉砕して形成した、両面に上記ラミネート層を有する粉砕紙片を主材とする；
上記粉砕紙片の集合物にて粒状体を形成する；
上記粒状体は隣接する各粉砕紙片のラミネート層間に、排尿を粒状体の芯部へ案内する空隙構造を有する；
上記粒状体は上記排尿を各粉砕紙片の剪断面より上記両面ラミネート層間の紙層内に吸収し、該吸収した排尿を上記両面のラミネート層で遮水し紙層内に保水する保水構造を有する；
ことを特徴とする愛玩動物用排泄物処理材。
【請求項２】
上記粒状体中に吸水性ポリマーの粉体、植物質の粉体、植物質の繊維の一又は二以上を含有することを特徴とする請求項１記載の愛玩動物用排泄物処理材。
【請求項３】
上記粒状体中に吸水性ポリマーの粉体、植物質の粉体、植物質の繊維の一又は二以上と、鉱物質の粉体とを含有することを特徴とする請求項１記載の愛玩動物用排泄物処理材。
【請求項４】
上記粒状体はその表面に吸水性を有し、且つ吸水すると粘着性を生ずる被覆層を有することを特徴とする請求項１又は２又は３記載の愛玩動物用排泄物処理材。
【発明の詳細な説明】
【技術分野】
【０００１】
本発明は両面にラミネート層を有する両面耐水紙の廃材を原料として用い、適性を付与した愛玩動物用排泄物処理材に関する。
【背景技術】
【０００２】
特許文献１、２は紙おむつ、生理用ナプキン、失禁用パット、乳パットの廃材、これらの製品屑から得られたプラスチック材料粉、殊にこれらの紙おむつにおいて使用されているポリエチレンフィルムやポリプロピレン不織布等から得られたプラスチック材料粉を主材とし、造粒した動物用排泄物処理材を提供している。
【特許文献１】特許第２８９５９６３号公報
【特許文献２】特許第２９７１９４９号公報
【発明の開示】
【発明が解決しようとする課題】
【０００３】
然しながら上記動物用排泄物処理材は紙おむつ等の産業廃棄物の再利用を図る点で有用であるが、その主材となるプラスチック材料粉を構成するプラスチック粒子個々又はプラスチックの粉砕片個々は排尿吸水性と保水性を欠如する欠点があり、このプラスチック材料粉から成る造粒物上に排泄された尿はプラスチック材料粉の粒子間を急速に通り抜け、上記排尿が広範囲に広がる問題点を有し、プラスチック材料粉が動物用排泄物処理材として適性材であるとは言い難いものである。
【０００４】
又これら動物用排泄物処理材は使用後、水洗トイレに流されたり、ゴミとして回収されるものであるが、プラスチック材料粉は汚水処理場におけるバクテリア処理によって分解が困難であり、又焼却処理時に有害ガスを発生する等の問題を招来する。
【課題を解決するための手段】
【０００５】
本発明は牛乳パック等の飲料パックに代表される両面に耐水性フィルムのラミネート層を有する両面耐水紙の廃材を原料とし、該廃両面耐水紙を１ｍｍ〜１０ｍｍ程度の大きさに細かく粉砕して形成した、両面に上記ラミネート層を有する粉砕紙片を主材とし、この粉砕紙片の集合物にて形成した粒状体から成る。
【０００６】
上記粒状体は隣接する各粉砕紙片のラミネート層間に、排尿を粒状体の芯部へ案内する空隙構造を有すると共に、上記排尿を各粉砕紙片の剪断面より上記両面ラミネート層間の紙層内に吸収し、該吸収した排尿を上記両面ラミネート層で遮水し紙層内に保水する保水構造を有する。
【０００７】
上記牛乳パック等の両面耐水紙の構造、これら廃両面耐水紙を粉砕して形成した両面に耐水性フィルムのラミネート層を有する粉砕紙片の構造は、愛玩動物用排泄物処理材に富適性を付与し、処理材としての機能を向上する。
【０００８】
即ち上記粒状体上に排泄された尿は、隣接する粉砕紙片のラミネート層間に形成された上記空隙を通して粒状体の芯部まで導かれ、この過程で各粉砕紙片の剪断面より上記両面ラミネート層間の紙層内に吸収され、該吸収した排尿を上記両面のラミネート層で遮水し紙層内に保水する。
【０００９】
上記粒状体は便器を形成するトレー等に多数敷設して愛玩動物等の排尿に供するものであるが、この粒状体は上記排尿を各粒状体の芯部まで導き且つ保水する機能を発揮し、排尿が粒状体の表層部だけを湿潤して隣接する粒状体へ流れてしまったり、又は排尿が粒状体中を急速に通り抜けて、結果的にトレー上の広域の粒状体を湿潤してしまう問題を有効に解消する。
【００１０】
又粒状体は紙を主材とするものであるから、環境保全に有効であり、バクテリアによる分解も可能である。
【００１１】
上記粒状体中には吸水性ポリマーの粉体、植物質の粉体、植物質の繊維の一又は二以上を含有せしめる。これにより上記隣接する粉砕紙片のラミネート層間に形成された上記空隙中に上記吸水性ポリマーの粉体等を配在し、上記粉砕紙片と協働して粒状体中に尿を捕捉する効果を高める。
【００１２】
又は上記粒状体中に吸水性ポリマーの粉体、植物質の粉体、植物質の繊維の一又は二以上を含有せしめると共に、炭酸カルシウムやクレー等の鉱物質の粉体を含有せしめる。
【００１３】
この鉱物質の粉体は上記吸水性ポリマーの粉体等と一緒に、隣接する粉砕紙片のラミネート層間に形成された上記空隙中に配在されて粒状体に重量を付加し、猫等の愛玩動物が粒状体を飛散したり、粒状体が体毛に付着するのを防止する。
【００１４】
上記粒状体の表面には吸水性を有し、且つ吸水すると粘着性を発揮する被覆層を有する。この被覆層は吸水すると粘着性を発揮する感水粘着材を含有する。
【００１５】
この被覆層は排尿を吸収して透水しつつ粘着性を発揮し、この粘着性により隣接する粒状体間を結合し塊状にし、この塊状物を廃棄して新たな粒状体を補う。
【発明を実施するための最良の形態】
【００１６】
以下本発明を実施するための最良の形態を図１乃至図６に基づき説明する。
本発明に係る愛玩動物用排泄物処理材の原料として使用する主たる廃材は、図１Ａに示す紙製の牛乳パック、ジュースパック、酒パック等の紙製の飲料パック１である。又は雑誌の表紙、カタログ、ポスター等の印刷紙である。
【００１７】
殊に板紙３の両面にプラスチックフィルムやアルミフィルム等でラミネートされた飲料パック１及び印刷紙を原料とする。
【００１８】
例えば、上記飲料パック１は比較的肉厚の板紙３から成り、同パック１の内面と外面、即ち板紙３の両面にプラスチックフィルムから成る耐水性フィルムをラミネートする構造、又は板紙３の外面に上記プラスチックフィルムをラミネートし、内面にアルミフィルムをラミネートした構造を有し、図１Ｂに示すように、板紙３を形成するパルプ繊維の絡み合いから成る紙層４の両面に耐水性ラミネート層５，６を形成している。
【００１９】
同様に、上記カタログ、ポスター等の印刷紙、殊に両面にプラスチックフィルムをラミネートした印刷紙も、板紙３を形成するパルプ繊維の絡み合いから成る紙層４の両面に耐水性ラミネート層５，６を形成している。
【００２０】
上記両面に耐水性ラミネート層５，６を有する両面耐水紙２の廃材を原料とし、該廃両面耐水紙２を１ｍｍ〜１０ｍｍ程度の大きさに細かく粉砕して、図２Ａ，Ｂに示すように、パルプ繊維の絡み合いから成る紙層４′の両面に上記ラミネート層５′，６′を有する粉砕紙片（両面耐水紙片）２′を形成する。
【００２１】
この粉砕紙片２′を主材とし、これに貧加水して造粒機にかけて造粒し、造粒後乾燥して、図３Ａ，Ｂに示す粉砕紙片２′の集合物から成る２ｍｍ〜１０ｍｍ程度の粒状体７を形成する。
【００２２】
上記粒状体７には後記する各種吸水性材料を含有せめることができる。この場合、粉砕紙片２′は３０％〜９０％（重量％）の範囲で選択し、各種吸水性材料は１０％〜７０％（重量％）の範囲で選択し、これらを混合して造粒する。
【００２３】
上記粒状体７は図４に示すように、隣接する各粉砕紙片２′のラミネート層５′，６′間に、排尿を粒状体７の芯部へ案内する無数の連通空隙８から成る空隙構造を有すると共に、上記排尿を各粉砕紙片２′の剪断面９より上記両面ラミネート層５′，６′間の紙層４′内に吸収し、該吸収した排尿を上記両面のラミネート層５′，６′で遮水し紙層４′内に保水する保水構造を有する。
【００２４】
上記飲料パック等の両面耐水紙２の構造、これら廃両面耐水紙２を粉砕して形成した両面にラミネート層５′，６′を有する粉砕紙片２′の構造は、愛玩動物用排泄物処理材、即ち粒状体７に良好な導管作用と保水機能を付与し、処理材としての適性を向上する。
【００２５】
即ち図６に示すように、上記粒状体７は便器を形成するトレー１０等に多数敷設して猫等の愛玩動物１１等の排尿に供するものであるが、図４に示すように、上記粒状体７上に排泄された尿１２は、隣接する粉砕紙片２′のラミネート層５′，６′間に形成された上記空隙８を通して粒状体７の芯部まで導かれ、この過程で各粉砕紙片２′の剪断面９より上記両面ラミネート層５′，６′間の紙層４′内に吸収され、該吸収した排尿を上記両面のラミネート層５′，６′で遮水し紙層内に保水する。
【００２６】
この粒状体７は上記排尿１２を各粒状体７の芯部まで導き且つ保水する機能を発揮し、排尿１２が粒状体７の表層部だけを湿潤して隣接する粒状体７へ流れてしまったり、又は排尿１２が粒状体７中を急速に通り抜けて、結果的にトレー１０上の広域の粒状体７を湿潤してしまう問題を有効に解消する。
【００２７】
又上記粒状体はパルプから成る紙を主材とするものであるから、環境保全に有効である。
【００２８】
上記粒状体７中には吸水性と保水性を補完する各種吸水性材料を配合し、造粒することができる。
【００２９】
例えば、粒状体７中に吸水性ポリマーの粉体１３、植物質の粉体１４、植物質の繊維１５の一又は二以上を含有せしめる。
【００３０】
これにより上記隣接する粉砕紙片２′のラミネート層５′，６′間に形成された上記空隙８中に上記吸水性ポリマーの粉体１３等を配在し、上記粉砕紙片２′と協働して粒状体７中に尿１２を捕捉する効果を高める。
【００３１】
上記吸水性ポリマーは、デンプン−ポリアクリロニトリル加水分解物、デンプン−ポリアクリル酸塩架橋物、酢酸ビニル−アクリル酸メチル共重合体のケン化物、ポリアクリル酸ソーダ架橋物等から成り、この吸水性ポリマーは排泄物の水分を吸収するとゼリー状に変質して多量の水分を保持する機能を有する。
【００３２】
この吸水性ポリマーの混合により、粉砕紙片２′と協働して、排泄物の水分が広範囲に広がるのをより有効に防止する。
【００３３】
上記植物質の粉体１４としては、澱粉、ＣＭＳ（カルボキシメチルスターチ）、ＣＭＣ（カルボキシメチルセルロース）等の植物性粘着材の一又は二以上を用いる。又同粉体１４として、おが屑等の木粉、竹粉、食物残渣粉を用いる。
【００３４】
又上記植物質の繊維１５としては、例えば、廃材たる古紙を粉砕機にかけ棉状に離解して得られたパルプ繊維を使用する。又はこれらと、製紙スラッジを使用する。
【００３５】
これら植物質の粉体１４、植物質の繊維１５、吸水性ポリマーの粉体１３とを上記粉砕紙片２′に混合し、貧加水して造粒機にかけ造粒した後、乾燥して粒状体７を形成する。
【００３６】
又は上記粒状体７中に吸水性ポリマーの粉体１３、植物質の粉体１４、植物質の繊維１５の一又は二以上を含有せしめると共に、炭酸カルシウムやタルク、ベントナイト、シリカゲル等の鉱物質の粉体１６を含有せしめる。
【００３７】
即ち上記植物質の粉体１４、植物質の繊維１５、吸水性ポリマーの粉体１３の一又は二以上と、上記鉱物質の粉体１６とを上記粉砕紙片２′に混合し、貧加水して造粒機にかけ造粒した後、乾燥して粒状体７を形成する。
【００３８】
この鉱物質の粉体１６は上記吸水性ポリマーの粉体１３又は植物質の粉体１４又は植物質の繊維１５と一緒に、隣接する粉砕紙片２′のラミネート層５′，６′間に形成された上記空隙８中に配在されて粒状体７に重量を付加し、猫等の愛玩動物１１が粒状体７を飛散したり、粒状体７が体毛に付着するのを防止する。
【００３９】
好ましい例示として図３Ｃ，図５に示すように、上記粒状体７の表面には吸水性を有し、且つ吸水すると粘着性を発揮する被覆層１７を設ける。
【００４０】
例えば、吸水すると粘着性を発揮する吸水性ポリマー１３、又は同様に吸水すると粘着性を発揮する植物質の粉体１４と、廃材たる古紙を粉砕機にかけ棉状に離解して得られたパルプ繊維１５とを混合し、粒状体７の表面に水分を噴霧した後、該混合材を粒状体７の表面にまぶし付けし、上記被覆層１７を形成する。
【００４１】
この被覆層１７は排尿１２を急速に吸収して粒状体７中へ向け透水しつつ粘着性を発揮し、この粘着性により隣接する粒状体７間を結合し塊状にし、この塊状物を廃棄して新たな粒状体７を補うことができる。
【００４２】
上記両面耐水紙２を構成するラミネート紙は塗料を塗工したコート紙に比べ、機械的強度が高く、造粒時の外力、加水水分によって容易には破壊されず、粒状体７に造粒した後も、ラミネートフィルム（ラミネート層６′）を紙層４′の両面に健全に残存させることができ、よって上記排尿水分を粒状体７の芯部まで導く導管効果と、この過程で紙層４′内に水分を吸収し保持する保水効果を適切に発揮させることができる。
【図面の簡単な説明】
【００４３】
【図１Ａ】牛乳パックに代表される飲料パックの側面図。
【図１Ｂ】上記飲料パック又はポスター等を形成する両面に耐水性フィルムをラミネートした両面耐水紙の断面図。
【図２Ａ】上記両面耐水紙を粉砕して得られた粉砕紙片の平面図。
【図２Ｂ】上記粉砕紙片の断面図。
【図３Ａ】上記粉砕紙片の集合物を主材とする粒状体の斜視図。
【図３Ｂ】同断面図。
【図３Ｃ】被覆層を有する上記粒状体の断面図。
【図４】粉砕紙片に各種吸水性を有する粉体又は繊維を配合して成る粒状体の拡大断面図。
【図５】上記被覆層の拡大断面図。
【図６】上記粒状体の使用状態を示す図。
【符号の説明】
【００４４】
１…飲料パック、２…両面耐水紙、２′…粉砕紙片、３…板紙、４，４′…紙層、５，５′，６，６′…ラミネート層、７…粒状体、８…空隙、９…剪断面、１０…トレー、１１…愛玩動物、１２…尿、１３…吸水性ポリマーの粉体、１４…植物質の粉体、１５…植物質の繊維、１６…鉱物質の粉体、１７…被覆層
【図１Ａ】
2005021136.tif 000003
【図１Ｂ】
2005021136.tif 000004
【図２Ａ】
2005021136.tif 000005
【図２Ｂ】
2005021136.tif 000006
【図３Ａ】
2005021136.tif 000007
【図３Ｂ】
2005021136.tif 000008
【図３Ｃ】
2005021136.tif 000009
【図４】
2005021136.tif 000010
【図５】
2005021136.tif 000011
【図６】
2005021136.tif 000012